(57)【要約】【課題】外周壁に炎孔２４が多数設けられた環状の分布室２３と、分布室２３の底面の周方向複数個所に開設されたベンチュリ開口２５に連通する下方にのびる複数の流入筒と、各流入筒の下端開口に臨むガスノズル２７とを備え、各ガスノズルから噴射される燃料ガスと下端開口から各流入筒に流入する一次空気との混合気が各ベンチュリ開口２５から分布室２３内に拡散するようにしたコンロバーナにおいて、分布室２３のベンチュリ開口２５から離れた外周壁部分の炎孔２４から噴出する混合気の量を多くして、熱分布の偏りを改善できるようにする。【解決手段】分布室２３の外周壁の曲率中心と各ベンチュリ開口２５の中心とを結ぶ放射方向を基準放射方向として、各ベンチュリ開口２５の形状を、基準放射方向の寸法Ｌよりもこれに直交する方向の寸法Ｗを短くした非円形にする。【選択図】図４
2018173203.tif 000002
【特許請求の範囲】
【請求項１】
外周壁に炎孔が周方向の間隔を存して多数設けられた環状の分布室と、分布室の底面の周方向複数個所に開設されたベンチュリ開口に連通する下方にのびる複数の流入筒と、各流入筒の下端開口に臨むガスノズルとを備え、各ガスノズルから噴射される燃料ガスと下端開口から各流入筒に流入する一次空気との混合気が各ベンチュリ開口から分布室内に拡散するようにしたコンロバーナにおいて、
分布室の外周壁の曲率中心と各ベンチュリ開口の中心とを結ぶ放射方向を基準放射方向として、各ベンチュリ開口の形状を、基準放射方向の寸法よりも基準放射方向に直交する方向の寸法を短くした非円形にすることを特徴とするコンロバーナ。
【請求項２】
前記分布室は、周方向複数の弧状室に分割され、各弧状室の周方向中央部の底面に前記各ベンチュリ開口が開設されることを特徴とする請求項１記載のコンロバーナ。
【発明の詳細な説明】
【技術分野】
【０００１】
本発明は、外周壁に炎孔が周方向の間隔を存して多数設けられた環状の分布室を備えるコンロバーナに関する。
【背景技術】
【０００２】
従来、この種のコンロバーナとして、分布室の底面の周方向複数個所にベンチュリ開口を開設し、これらベンチュリ開口に連通する下方にのびる複数の流入筒と、各流入筒の下端開口に臨むガスノズルとを設けて、各ガスノズルから噴射される燃料ガスと下端開口から各流入筒に流入する一次空気との混合気を各ベンチュリ開口から分布室内に拡散させるようにしたものが知られている（例えば、特許文献１参照）。このもので、各ベンチュリ開口は、その形状が円形になるように形成されている。
【０００３】
上記従来のコンロバーナは、分布室から側方にのびる混合管を備える旧来のコンロバーナに比し小型化できる利点があるものの、以下の不具合がある。即ち、混合気が分布室のベンチュリ開口に近い外周壁部分の炎孔から噴出しやすくなって、ベンチュリ開口から離れた外周壁部分の炎孔から噴出する混合気の量が少なくなり、コンロバーナの周方向の熱分布に偏りを生じてしまう。
【先行技術文献】
【特許文献】
【０００４】
【特許文献１】特表２００６−５０５７６１号公報
【発明の概要】
【発明が解決しようとする課題】
【０００５】
本発明は、以上の点に鑑み、分布室のベンチュリ開口から離れた外周壁部分の炎孔から噴出する混合気の量を多くして、熱分布の偏りを改善できるようにしたコンロバーナを提供することをその課題としている。
【課題を解決するための手段】
【０００６】
上記課題を解決するために、本発明は、外周壁に炎孔が周方向の間隔を存して多数設けられた環状の分布室と、分布室の底面の周方向複数個所に開設されたベンチュリ開口に連通する下方にのびる複数の流入筒と、各流入筒の下端開口に臨むガスノズルとを備え、各ガスノズルから噴射される燃料ガスと下端開口から各流入筒に流入する一次空気との混合気が各ベンチュリ開口から分布室内に拡散するようにしたコンロバーナにおいて、分布室の外周壁の曲率中心と各ベンチュリ開口の中心とを結ぶ放射方向を基準放射方向として、各ベンチュリ開口の形状を、基準放射方向の寸法よりも基準放射方向に直交する方向の寸法を短くした非円形にすることを特徴とする。
【０００７】
ここで、分布室のベンチュリ開口から離れた外周壁部分の炎孔から噴出するのは、ベンチュリ開口の基準放射方向から離れる方向を向く周方向部分から分布室内に拡散した混合気である。本発明によれば、ベンチュリ開口の基準放射方向から離れる方向を向く周方向部分の長さが基準放射方向に近い方向を向く周方向部分の長さに比し長くなって、基準放射方向から離れる方向を向く周方向部分から分布室内に拡散する混合気の量が多くなる。そのため、分布室のベンチュリ開口から離れた外周壁部分の炎孔から噴出する混合気の量も多くなり、熱分布の偏りが改善される。
【０００８】
尚、分布室は、周方向複数の弧状室に分割されていてもよい。この場合、各弧状室の周方向一方と他方への混合気の分布を均等化するため、各弧状室の周方向中央部の底面に各ベンチュリ開口を開設することが望ましい。
【図面の簡単な説明】
【０００９】
【図１】本発明の実施形態のコンロバーナの斜視図。
【図２】実施形態のコンロバーナの側面図。
【図３】図２のＩＩＩ−ＩＩＩ線で切断した切断正面図。
【図４】図２のＩＶ−ＩＶ線で切断した切断平面図。
【図５】他の実施形態のコンロバーナの切断平面図。
【図６】更に別の実施形態のコンロバーナの切断平面図。
【発明を実施するための形態】
【００１０】
図１乃至図４に示す本発明の実施形態のコンロバーナは、子バーナ１と、子バーナ１を囲う親バーナ２とを具備する。子バーナ１は、子バーナボディ１１と、子バーナボディ１１上に載置される子バーナキャップ１２とを備え、これら子バーナボディ１１と子バーナキャップ１２との間に円形の分布室１３が画成される。分布室１３の外周壁１３１には、炎孔１４が周方向の間隔を存して多数設けられている。
【００１１】
子バーナ１は、更に、分布室１３の底面中央部に開設されたベンチュリ開口１５に連通する下方にのびる流入筒１６と、流入筒１６の下端開口１６１に臨むガスノズル１７とを備えている。ガスノズル１７には、子バーナ用ガス供給路１８を介して燃料ガスが供給される。そして、ガスノズル１７から噴射される燃料ガスと下端開口１６１から流入筒１６に流入する一次空気との混合気がベンチュリ開口１５から分布室１３内に拡散して、炎孔１４から噴出するようにしている。
【００１２】
親バーナ２は、子バーナボディ１１を囲う環状の親バーナボディ２１と、親バーナボディ２１上に載置される環状の親バーナキャップ２２とを備え、これら親バーナボディ２１と親バーナキャップ２２との間に環状の分布室２３が画成される。分布室２３の外周壁２３１には、炎孔２４が周方向の間隔を存して多数設けられている。
【００１３】
親バーナ２は、更に、分布室２３の底面の周方向複数個所に開設されたベンチュリ開口２５に連通する下方にのびる複数の流入筒２６と、各流入筒２６の下端開口２６１に臨むガスノズル２７とを備えている。各ガスノズル２７には、子バーナ用ガス供給路１８とは別の親バーナ用ガス供給路２８を介して燃料ガスが供給される。そして、各ガスノズル２７から噴射される燃料ガスと下端開口２６１から各流入筒２６に流入する一次空気との混合気が各ベンチュリ開口２５から分布室２３内に拡散して、炎孔２４から噴出するようにしている。
【００１４】
尚、分布室２３は、周方向一側の仕切り壁２３３と周方向他側の仕切り壁２３４とで周方向２個の弧状室２３ａ，２３ａに分割され、各弧状室２３ａの周方向中央部の底面にベンチュリ開口２５が開設されている。尚、弧状室２３ａの周方向中央部の底面にベンチュリ開口２５を開設するのは、弧状室２３ａの周方向一方と他方への混合気の分布を均等化するためである。
【００１５】
周方向一側の仕切り壁２３３は、周方向に少許の間隙を存し並設した２重壁で構成されており、この２重の仕切り壁２３３と各弧状室２３ａの内周壁２３２とに火移り用炎孔２４´を形成している。また、親バーナ２の外周の一箇所に臨ませて点火電極３を設けると共に、子バーナ１の外周の一箇所に臨ませて熱電対等の火炎検知素子４を設けている。そして、親バーナ２の外周の炎孔２４から火移り用炎孔２４´を介して子バーナ１の炎孔１４に火移りさせるようにしている。
【００１６】
また、子バーナ１の流入筒１６と親バーナ２の各流入筒２６は、夫々子バーナボディ１１と親バーナボディ２１に一体化されている。更に、親バーナボディ２１は、その内周の複数個所から径方向内方にのびるブリッジ部２１１を介して子バーナボディ１１に一体化されている。子バーナ１及び親バーナ２のバーナボディ１１，２１は、図示省略したコンロ本体に固定の支持ブロック５上にスペーサ５１を介して設けられる支持部５２に支持される。より具体的に説明すれば、支持部５２に、子バーナ１の流入筒１６及び親バーナ２の一対の流入筒２６，２６を囲う長円形の筒部５２１を設けて、この筒部５２１の上縁に子バーナボディ１１及びブリッジ部２１１を着座させることにより、子バーナ１及び親バーナ２のバーナボディ１１，２１を支持部５２に支持させている。
【００１７】
また、支持ブロック５には、子バーナ用のガスノズル１７と親バーナ用の各ガスノズル２７とが固定され、更に、子バーナ用ガス供給路１８の下流側部分である、子バーナ用のガスノズル１７の固定箇所に達する通路孔１８ａと、親バーナ用ガス供給路２８の下流側部分である、親バーナ用の各ガスノズル２７の固定箇所に達する通路孔２８ａとが形成されている。更に、スペーサ５１からのびるアーム部５１１の先端に点火電極３を取り付けている。
【００１８】
また、子バーナ１の分布室１３の底面のベンチュリ開口１５の開設箇所と親バーナ２の分布室２３の底面のベンチュリ開口２５の開設箇所は、夫々その周囲の分布室１３，２３の部分よりも上下幅が狭められるように上方に隆起している。そのため、上下幅の狭いベンチュリ開口１５，２５の開設箇所からその周囲の上下幅の広い分布室１３，２３の部分に混合気が流れることになって、燃料ガスと一次空気との混合が促進される。
【００１９】
ところで、子バーナ１のベンチュリ開口１５の形状は円形であるが、親バーナ２の各ベンチュリ開口２５の形状は、分布室２３の外周壁の曲率中心（子バーナ１の中心に合致）と各ベンチュリ開口２５の中心とを結ぶ放射方向である基準放射方向の寸法Ｌよりも基準放射方向に直交する方向の寸法Ｗを短くした楕円形にしている。
【００２０】
ところで、ベンチュリ開口２５の形状を円形にすると、弧状室２３ａのベンチュリ開口２５から周方向にある程度以上離れた弧状室２３ａの外周壁部分に到達する混合気の量、即ち、当該外周壁部分に形成した炎孔２４から噴出する混合気の量が少なくなり、親バーナ２の周方向の熱分布に偏りを生ずる。
【００２１】
ここで、弧状室２３ａのベンチュリ開口２５から離れた外周壁部分に到達するのは、ベンチュリ開口２５の基準放射方向から離れる方向を向く周方向部分から弧状室２３ａ内に拡散した混合気である。ベンチュリ開口２５の形状を上記楕円形にすれば、ベンチュリ開口２５の基準放射方向から離れる方向を向く周方向部分の長さが基準放射方向に近い方向を向く周方向部分の長さよりも長くなって、基準放射方向から離れる方向を向く周方向部分から弧状室２３ａ内に拡散する混合気の量が多くなる。そのため、ベンチュリ開口２５の形状を上記非円形にすると、弧状室２３ａのベンチュリ開口２５から離れた外周壁部分に到達する混合気の量、即ち、当該外周壁部分に位置する炎孔２４から噴出する混合気の量が多くなり、熱分布の偏りが改善される。
【００２２】
尚、上記実施形態では、ベンチュリ開口２５の形状を、楕円形にしているが、図５に示す実施形態の如く、基準放射方向の寸法Ｌよりも基準放射方向に直交する方向の寸法Ｗを短くした長円形や、図６に示す実施形態の如く、基準放射方向の寸法Ｌよりも基準放射方向に直交する方向の寸法Ｗを短くした卵形といった楕円形以外の非円形にしてもよい。
【００２３】
以上、本発明の実施形態について図面を参照して説明したが、本発明はこれに限定されない。例えば、上記実施形態では、分布室２３が周方向２個の弧状室２３ａ，２３ａに分割されているが、周方向３個以上の弧状室に分割されていてもよく、或いは、分布室２３が分割されずに全周に亘り連続していてもよい。また、上記実施形態のコンロバーナは子バーナ１を備えているが、子バーナを具備しないコンロバーナにも同様に本発明を適用できる。
【符号の説明】
【００２４】
２３…分布室、２３ａ…弧状室、２４…炎孔、２５…ベンチュリ開口、２６…流入筒、２６ａ…下端開口、２７…ガスノズル。
【図１】
2018173203.tif 000003
【図２】
2018173203.tif 000004
【図３】
2018173203.tif 000005
【図４】
2018173203.tif 000006
【図５】
2018173203.tif 000007
【図６】
2018173203.tif 000008